(57)【特許請求の範囲】
【請求項１】
各種感知器が接続された受信機と監視装置とを備え、複数の建物の建物毎に前記受信機或いは監視装置の何れか又は前記受信機と監視装置とが設置され、これらが各インタフェースを介してループ状の通信線に接続されてなるシステムの防災システム装置であって、
前記監視装置は、
表示装置と、
前記システムに基づいて図示化されたシステム図の画像を有し、前記表示装置の画面に表示されたシステムボタンが選択されたとき前記システム図の画像を表示装置の画面に表示し、外部から感知器作動の情報が入ってきたときは、画面上のシステム図に配置された受信機のうち、感知器作動の情報を出力した通信線上の受信機に対応する受信機上にその旨を表示する表示画面制御手段とを備え、
前記表示画面制御手段は、前記表示装置の画面に表示される前記システム図に配置された受信機上に「情報遮断」が記された操作ボタンを表示し、「情報遮断」の操作ボタンが選択されたときは、その選択された「情報遮断」の操作ボタン上にその旨を表示すると共に、選択された前記「情報遮断」の操作ボタンに該当する通信線上の受信機からの信号を遮断することを特徴とする防災システム装置。
【請求項２】
前記表示画面制御手段は、前記表示装置の画面に表示される前記システム図に配置された受信機上に「操作状態」が記された操作ボタンを表示し、「操作状態」の操作ボタンが選択されたときは、選択された前記「操作状態」の操作ボタンに該当する通信線上の受信機の操作部と同じ操作部を前記表示装置の画面に表示し、この操作部が操作されたときはその操作に基づく操作情報を、画面上に表示した操作部と同じ操作部を有する通信線上の受信機が取り込むよう外部へ伝送することを特徴とする請求項１記載の防災システム装置。
【請求項３】
前記監視装置は、本監視装置内及び本監視装置に接続されたインタフェースの異常を監視し、異常を検知したときはその異常詳細を判別すると共に、その異常情報を他の監視装置が取り込むよう外部へ伝送し、外部から異常情報が入ってきたときはその情報に基づいて異常詳細を判別する異常詳細判別手段を備え、
前記表示画面制御手段は、前記表示装置の画面に表示される前記システム図に配置された受信機、監視装置及びインタフェース上に「異常詳細」が記された操作ボタンを表示し、前記異常詳細判別手段により異常詳細が判別されたときはその判別に基づいて、該当する「異常詳細」の操作ボタンにその旨を表示し、その「異常詳細」の操作ボタンが選択されたときは、選択された前記「異常詳細」の操作ボタンに該当する受信機、監視装置及びインタフェースの何れかの異常詳細を前記表示装置の画面に表示することを特徴とする請求項１又は２記載の防災システム装置。
【発明の詳細な説明】
【０００１】
【発明の属する技術分野】
本発明は、例えば複数の建物にそれぞれ設置された火災受信機をループ状の通信線を介して監視する防災システム装置に関するものである。
【０００２】
【従来の技術】
従来より火災受信機とパソコンとで火災や煙、ガス洩れ等の発生エリアを監視するものがあった。例えば、火災受信機が火災感知器を通して火災を検知したときは火災発生エリアを特定して表示部に表示し、パソコンは、火災受信機によって特定された情報に基づいて出火階の部屋をＣＲＴ画面に表示すると共に、ＣＲＴ画面の片隅に設定されたキープランエリアに出火階の全体平面図を表示し、管理者に知らせていた。
また、火災受信機には、火災感知器等の端末の動作試験を行うときにオンする移報遮断スイッチが備えられており、このスイッチがオンされたときは端末機器の動作情報が外部に伝送されないようになっていた。
【０００３】
【発明が解決しようとする課題】
前述した従来のシステムでは、例えばパソコンに複数の火災受信機を接続した場合、何れかの火災受信機が火災を検知したときその建物の出火階をＣＲＴ画面に表示するものの何れの建物から出火したのか分かりにくく、また、試験等により移報遮断スイッチがオンされたときは、パソコン側ではその火災受信機を通して火災発生の有無を監視できなくなっていた。
また、何れかの火災受信機が内部の異常を検知したとき何れの火災受信機が異常を発生したのか、或いはどのような異常なのか分からなかった。
【０００４】
本発明は、かかる課題を解決するためになされたもので、パソコンを通して複数の火災受信機を監視するようにしても火災発生時に何れの建物から出火したか容易に分かり、しかも、移報遮断に対してもパソコン側から選択でき、さらに、ＣＲＴ画面上に火災受信機と同じ操作部を表示して遠隔操作ができ、火災受信機やパソコン等に異常が発生したときはその異常詳細を表示できる防災システム装置を提供することを目的とする。
【０００５】
【課題を解決するための手段】
本発明の請求項１に係る防災システム装置は、各種感知器が接続された受信機と監視装置とを備え、複数の建物の建物毎に前記受信機或いは監視装置の何れか又は前記受信機と監視装置とが設置され、これらが各インタフェースを介してループ状の通信線に接続されてなるシステムの防災システム装置であって、監視装置は、表示装置と、前記システムに基づいて図示化されたシステム図の画像を有し、表示装置の画面に表示されたシステムボタンが選択されたときシステム図の画像を表示装置の画面に表示し、外部から感知器作動の情報が入ってきたときは、画面上のシステム図に配置された受信機のうち、感知器作動の情報を出力した通信線上の受信機に対応する受信機上にその旨を表示する表示画面制御手段とを備え、表示画面制御手段は、表示装置の画面に表示されるシステム図に配置された受信機上に「情報遮断」が記された操作ボタンを表示し、「情報遮断」の操作ボタンが選択されたときは、その選択された「情報遮断」の操作ボタン上にその旨を表示すると共に、選択された前記「情報遮断」の操作ボタンに該当する通信線上の受信機からの信号を遮断する。
【０００６】
本発明の請求項２に係る防災システム装置は、表示画面制御手段は、表示装置の画面に表示されるシステム図に配置された受信機上に「操作状態」が記された操作ボタンを表示し、「操作状態」の操作ボタンが選択されたときは、選択された「操作状態」の操作ボタンに該当する通信線上の受信機の操作部と同じ操作部を表示装置の画面に表示し、この操作部が操作されたときはその操作に基づく操作情報を、画面上に表示した操作部と同じ操作部を有する通信線上の受信機が取り込むよう外部へ伝送する。
【０００７】
本発明の請求項３に係る防災システム装置は、監視装置は、本監視装置内及び本監視装置に接続されたインタフェースの異常を監視し、異常を検知したときはその異常詳細を判別すると共に、その異常情報を他の監視装置が取り込むよう外部へ伝送し、外部から異常情報が入ってきたときはその情報に基づいて異常詳細を判別する異常詳細判別手段を備え、表示画面制御手段は、表示装置の画面に表示されるシステム図に配置された受信機、監視装置及びインタフェース上に「異常詳細」が記された操作ボタンを表示し、異常詳細判別手段により異常詳細が判別されたときはその判別に基づいて、該当する「異常詳細」の操作ボタンにその旨を表示し、その「異常詳細」の操作ボタンが選択されたときは、選択された「異常詳細」の操作ボタンに該当する受信機、監視装置及びインタフェースの何れかの異常詳細を表示装置の画面に表示する。
【０００８】
【発明の実施の形態】
図１は本発明の実施形態に係る防災システム装置の監視装置の構成を示すブロック図、図２は本実施形態における防災システムのネットワークの構成を示す模式図、図３は図２のネットワークに基づくシステム画像図、図４は火災受信機の操作部を表示したときの画像図、図５は異常詳細のときの画像図である。
【０００９】
まず、図２に示す防災システムのネットワークの構成について説明する。図において、１は例えば同一敷地内に建設された建物の１号棟から６号棟のうち１号棟、４号棟及び６号棟にそれぞれ配置された監視装置で、装置本体２と、表示装置３と、入力装置であるキーボード４及びマウス５とで構成され（図１参照）、その敷地内に敷設されたループ状の通信線７（以下、「ＬＡＮ７」という）に接続されたインタフェース（以下、「Ｉ／Ｆ」と略す）６と接続されている。
【００１０】
１１は建物の１号棟から３号棟及び５号棟にそれぞれ設けられ、前記と同様にＬＡＮ７に接続されたＩ／Ｆ１３と接続された火災受信機で、正面に表示部及び操作部（図示せず）を有し、建物の各エリアにそれぞれ設置された火災感知器１２等を通じて火災の有無を監視し、何れかの火災感知器１２の火災信号が入力されたときは、その信号から火災発生エリアを特定して、図示せぬスプリンクラ、消火設備の予作動弁や防火戸、排煙機等を駆動させる信号を出力し、かつ、特定した火災発生エリア及び火災発報の火災感知器１２を示す火災情報信号をＩ／Ｆ１３を介してＬＡＮ７に伝送する。また、この火災受信機１１は、受信機内部及びＩ／Ｆ１３の異常を監視する手段を有し、異常を検知したときはその検知に基づく異常情報信号を送信するようになっている。
【００１１】
２ａは監視装置１の装置本体２に設けられた送受信回路、２ｂは受信情報判別部で、送受信回路２ａを介して入力される情報信号を判別し、その情報信号が火災情報信号のときは、火災発生エリア及びその火災情報信号を発した火災受信機１１を特定して後述する表示画面制御部に通知すると共に、スピーカ２ｆを鳴動させる信号をスピーカ制御回路２ｅに出力し、情報信号が異常情報信号のときはその情報信号を後述する異常詳細判別部に送出する。また、後で詳述するが情報遮断命令を受けているときは、情報遮断の操作を行った火災受信機１１や他の監視装置１においてのみ送受信回路２ａを介して入力される火災受信機１１からの各種の情報信号や、他の監視装置１からの異常情報信号等を遮断する。
【００１２】
２ｃは異常詳細判別部で、本監視装置内及びＩ／Ｆ６の異常を監視し、異常を検知したときはその異常詳細を判別して表示画面制御部に通知すると共に、異常検知に基づく異常情報信号を送受信回路２ａ及びＩ／Ｆ６を介してＬＡＮ７上に伝送する。この送信は、他の建物に配置された監視装置１に通知するためである。また、受信情報判別部２ｂからの異常情報信号を受けたときは、その異常情報信号から何れの建物（１号棟から６号棟）の監視装置１又は火災受信機１１からの通知かを判別すると共に、異常詳細を判別して表示画面制御部に通知する。
【００１３】
２ｄは前述した表示画面制御部で、電源投入のイニシャル時は「イニシャル中」を表示装置３のＣＲＴ画面３ａのグラフィックエリア３ｂに表示し、イニシャル終了時以降は「平常監視中」をそのグラフィックエリア３ｂに表示する。その後は、キーボード４又はマウス５からの入力に基づいて、例えば、グラフィックエリア３ｂの画面上の何れかがクリックされると、本監視装置１が設置されている建物や、他の建物の各階の警戒区域を選択させるメニューを表示装置３に表示する。
【００１４】
また、ＣＲＴ画面３ａの操作エリア３ｆに表示したシステムボタン３１がマウス５によりクリックされたときは、図３に示すシステムに基づいて図示化された画像をＣＲＴ画面３ａのグラフィックエリア３ｂに表示する。なお、図３に示すシステム図の画像中の「ＣＲＴ」は監視装置１を指している。音響停止ボタン３２がクリックされたときはスピーカ２ｆの鳴動を停止させる信号をスピーカ制御回路２ｅに出力する。
【００１５】
このシステム図の画像を表示しているときに、操作状態ボタン３４がクリックされたときはその操作に基づく火災受信機１１の操作部と同じ操作部を火災受信機１１の操作部の操作状態そのままでグラフィックエリア３ｂに表示する（図４参照）。この画像のうち「保守スイッチ」４１は保守時における地区音響停止や音声警報停止等を行うためのものであり、「保守機能」４２は火災感知器１２等の感度切換や感知器変更等行うためのものであり、「連動遮断」４３は連動が組まれている端末、例えば防火戸や排煙機等の駆動を遮断するためのものであり、また、「火災断定」４４は火災発生時に地区音響停止、音声警報停止、連動遮断等を解除するためのスイッチであり、「音響停止」４５は火災発生時に発せられた警報音を停止させるためのスイッチであり、「移報遮断」４６は火災受信機１１から外部へ送信される各種の情報信号を遮断するためのスイッチである。
【００１６】
これらは、本監視装置１から所望の火災受信機１１に対して遠隔操作できるようにしたもので、何れかがクリックされたときはその操作に基づく操作情報信号を送受信回路２ａ及びＩ／Ｆ６を介してＬＡＮ７上に伝送する。なお、この操作情報信号には、該当する火災受信機１１が取り込むようにアドレスが設定されている。また、本監視装置１から所望の火災受信機１１に対して遠隔操作できないような機能については、操作ボタンを表示しないようにするか、又は白抜き表示で操作できないようにする。
【００１７】
情報遮断ボタン３５がクリックされたときはその操作に基づく前記情報遮断命令を受信情報判別部２ｂに送出する。例えば２号棟の情報遮断ボタン３５がクリックされたときは、２号棟の火災受信機１１から送られてくる各種の情報信号だけが受信されてもその情報は無視する。この情報遮断は、例えば火災感知器１２等の動作試験を行うときに操作するものである。
【００１８】
また、火災発生エリア及び火災情報信号を発した火災受信機１１が特定された通知を受信情報判別部２ｂから受けたときは、例えば、グラフィックエリア３ｂに表示したシステム図の画像のうち火災の発生した「受信機」３３の表示色を変えて表示すると共に、タイトル・火災代表表示エリア３ｃに火災発生の建物の名称を表示し、次いで、イベントリストエリア３ｇに火災発生エリアの詳細を文字で表示し、システムメッセージエリア３ｈに「出火階表示中」を文字で表示する。そして、火災が発生した建物の警戒区域付近の平面図をグラフィックエリア３ｂに表示すると共に、キープランエリア３ｊにその建物の出火階の全体平面図を表示する。
【００１９】
異常詳細の通知を異常詳細判別部２ｃから受けたときは、例えば、グラフィックエリア３ｂに表示したシステム図の画像のうち、該当する設備（監視装置１、火災受信機１１、Ｉ／Ｆ６，１３）の異常詳細ボタンの「異常詳細」の表示色を変えると共に、システムメッセージエリア３ｈにシステムの異常状態、例えば火災受信機異常、ネットワーク異常等を表示する。色の変化した異常詳細ボタンがクリックされたときは図５に示すようにシステム図の画像上にウィンドウを開いて異常詳細の内容を表示した画像５１を表示する。
【００２０】
例えば、監視装置１の異常詳細として２４Ｖ外部電源異常、通信異常等があり、火災受信機１１の異常詳細として交流電源断、ヒューズ断、地区音響線異常、非常放送故障等があり、また、Ｉ／Ｆ６，１３の異常詳細としてネットワーク通信異常、受信機通信異常、通信線異常等がある。
【００２１】
なお、ＣＲＴ画面３ｂ上に表示されたタイトル・火災代表表示エリア３ｃに隣接するメニューバーエリア３ｄは「ガイダンス」、「シンボル凡例」等を表示するエリアであり、その右隣の時刻表示エリア３ｅは時刻を表示するエリアである。また、前述したシステムボタン３１、音響停止ボタン３２及び情報遮断ボタン３５がクリックされたときは表示色が変化するように設定されており、各異常詳細ボタン３６，３７，３８，３９の「異常詳細」の表示色が変化しているときにクリックされたときはその表示色を保持するように設定されている。
【００２２】
次に、本実施形態の動作を説明する。なお、１号棟、４号棟及び６号棟に設置された監視装置１の表示装置３には、それぞれ図３に示すシステム図の画像が表示されているものとする。
この状態において、例えば３号棟の火災受信機１１が火災を検知して火災情報信号をＬＡＮ７上に伝送すると、それぞれの監視装置１の装置本体２の受信情報判別部２ｂが、その火災情報信号を読み込んで３号棟の出火階の部屋及び火災受信機１１を特定し、表示画面制御部２ｄにその旨を通知すると共に、スピーカ制御回路２ｅを通じてスピーカ２ｆを鳴動させる。
【００２３】
前記通知を受けた表示画面制御部２ｄは、ＣＲＴ画面３ａのグラフィックエリア３ｂ上のシステム図の表示から３号棟の火災が発生した階の警戒区域付近の平面図の表示に切り替えると共に、キープランエリア３ｊに３号棟の出火階の全体平面図を表示する。そして、タイトル・火災代表表示エリア３ｃに火災発生の建物の名称（３号棟）を表示し、次いで、イベントリストエリア３ｇに火災発生エリアの詳細を文字で表示する。この時、操作エリア３ｆのシステムボタン３１がクリックされると、グラフィックエリア３ｂに再びシステム図を表示して、このシステム図の画像のうち３合棟の「受信機」３３の表示色を変え、火災を検知した火災受信機１１を知らせる。なお、音響停止ボタン３２がクリックされた監視装置１においては、その監視装置１の表示画面制御部２ｄがスピーカ制御回路２ｅを介してスピーカ２ｆの鳴動を停止させる。
【００２４】
また、それぞれの表示装置３のＣＲＴ画面３ａ上にシステム図の画像が表示されているときに、例えば１号棟のＣＲＴ画面３ａ上のシステム図の画像において３号棟の操作状態ボタン３４をクリックしたときは、３号棟に設置された火災受信機１１の操作部と同じ操作部がその火災受信機１１の操作部の操作状態そのままで１号棟の表示装置３のＣＲＴ画面３ａ上に表示される（図４参照）。この場合、１号棟の装置本体２の表示画面制御部２ｄが前記ボタン３４のクリック操作に基づいて火災受信機１１の操作部を表示装置３のＣＲＴ画面３ａ上に表示する。この表示状態において、例えば移報遮断４６をクリックすると、装置本体２の表示画面制御部２ｄは、その操作に基づく操作情報信号に３号棟の火災受信機１１が取り込むようアドレスを設定して伝送する。
【００２５】
また、１号棟のＣＲＴ画面３ａ上のシステム図の画像において２号棟の情報遮断ボタン３５をクリックしたときは、１号棟の監視装置１は２号棟の火災受信機１１から送信される各種の情報信号の全てを遮断する。なお、遮断とは、情報信号は受信するが、その情報を無視することを示す。この場合、１号棟の装置本体２の表示画面制御部２ｄは、クリックされた２号棟の情報遮断ボタン３５の表示色を変化させてその旨をＣＲＴ画面３ａ上で知らせると共に、その操作に基づく情報遮断命令を受信情報判別部２ｂに通知して、２号棟の火災受信機１１からの各種の情報信号の全てを遮断させる。
【００２６】
さらに、例えば５号棟の火災受信機１１が内部の異常を検知してその異常情報信号をＬＡＮ７上に伝送した場合は、各監視装置１の表示装置３のＣＲＴ画面３ａ上に表示されている５号棟の異常詳細ボタン３６の表示色を変化させてその旨を知らせる。この場合、受信情報判別部２ｂが、受信された異常情報信号を異常詳細判別部２ｃに送出し、異常詳細判別部２ｃはその異常情報信号から異常詳細及びその信号を発した設備を判別して表示画面制御部２ｄに通知し、表示画面制御部２ｄはその通知に基づいて前記異常詳細ボタン３６の表示色を変化させる。この処理は、前述したように１号棟、４号棟及び６号棟に設置された監視装置１がそれぞれ行う。
【００２７】
この時、６号棟の監視装置１において、表示色の変化した異常詳細ボタン３６をクリックすると、その監視装置１の装置本体２の表示画面制御部２ｄが、予め通知を受けた異常詳細を図５に示す画像５１と共に表示装置３のＣＲＴ画面３ａ上に表示する。
【００２８】
以上のように本実施形態においては、建物に応じて設置された監視装置１、火災受信機１１等をＬＡＮ７に接続してなるシステムに基づいて図示化した画像を表示装置３のＣＲＴ画面３ａ上に表示し、何れかの火災受信機１１が火災等を検知したときは、画像に表示した「受信機」３３のうち該当する「受信機」３３の表示色を変化させるようにしたので、火災発生エリアを容易に特定でき、視覚性に優れているという効果がある。
【００２９】
ＣＲＴ画面３ａ上のシステム図の画像に操作状態ボタン３４を表示し、この操作状態ボタン３４をクリックしたときは、その操作に基づく火災受信機１１の操作部と同じ操作部が操作状態そのままで表示装置３のＣＲＴ画面３ａ上に表示されるようにしたので、遠隔操作が可能になり、しかも火災受信機１１の操作部と同じ操作部であるため、操作が容易であるという効果がある。
【００３０】
また、ＣＲＴ画面３ａ上のシステム図の画像に情報遮断ボタン３５を表示し、この情報遮断ボタン３５をクリックしたときはその操作を行った監視装置だけに、クリックされた火災受信機１１からの各種情報信号が入らないようにしたので、他の火災受信機の監視を継続して行えるという効果がある。
【００３１】
さらに、監視装置１、火災受信機１１及びＩ／Ｆ６，１３の各設備に対応してＣＲＴ画面３ａ上のシステム図の画像に異常詳細ボタン３６，３７，３８，３９を表示し、何れかの設備に異常が発生したとき該当する異常詳細ボタンの表示色を変化させるようにしたので、異常個所を容易に特定でき、しかも表示色の変化した異常詳細ボタンをクリックしたときは異常詳細がＣＲＴ画面３ａ上に表示されるようにしたので、異常に対する処置が容易であるという効果がある。
【００３２】
【発明の効果】
以上のように本願の請求項１の発明によれば、表示装置の画面に表示されたシステムボタンが選択されたとき、複数の建物に設置された受信機或いは監視装置又は受信機と監視装置とが各インタフェースを介してループ状の通信線に接続されてなるシステム図の画像を表示装置の画面上に表示し、外部から感知器作動の情報が入ってきたときは、画面上のシステム図に配置された受信機のうち、感知器作動の情報を出力した通信線上の受信機に対応する受信機上にその旨を表示するようにしたので、火災発生エリアを容易に特定でき、視覚性に優れているという効果がある。また、システム図に配置された受信機上の「情報遮断」操作ボタンが選択されたときは、その選択された「情報遮断」の操作ボタン上にその旨を表示すると共に、選択された前記「情報遮断」の操作ボタンに該当する通信線上の受信機からの信号を遮断するようにしたので、他の受信機の監視を継続して行えるという効果がある。
【００３３】
本願の請求項２の発明によれば、システム図に配置された受信機上の「操作状態」操作ボタンが選択されたときは、選択された「操作状態」の操作ボタンに該当する通信線上の受信機の操作部と同じ操作部を表示装置の画面に表示し、この操作部が操作されたときはその操作に基づく操作情報を、画面上に表示した操作部と同じ操作部を有する通信線上の受信機が取り込むよう外部へ伝送するようにしたので、遠隔操作が可能になり、しかも受信機の操作部と同じ操作部であるため操作が容易になる。
【００３４】
本願の請求項３の発明によれば、システム図に配置された受信機、監視装置及びインタフェース上に「異常詳細」が記された操作ボタンを表示し、異常詳細判別手段により異常詳細が判別されたときはその判別に基づいて、該当する「異常詳細」の操作ボタンにその旨を表示し、その「異常詳細」の操作ボタンが選択されたときは、選択された「異常詳細」の操作ボタンに該当する受信機、監視装置及びインタフェースの何れかの異常詳細を表示装置の画面に表示するようにしたので、異常に対する処置が容易であるという効果がある。
【図面の簡単な説明】
【図１】本発明の実施形態に係る防災システム装置の監視装置の構成を示すブロック図である。
【図２】本実施形態における防災システムのネットワークの構成を示す模式図である。
【図３】図２のネットワークに基づくシステム画像図である。
【図４】火災受信機の操作部を表示したときの画像図である。
【図５】異常詳細のときの画像図である。
【符号の説明】
１  監視装置
２  装置本体
３  表示装置
４  キーボード
５  マウス
６  インタフェース
１１  火災受信機
【図１】
0003743854.tif 000002
【図２】
0003743854.tif 000003
【図３】
0003743854.tif 000004
【図４】
0003743854.tif 000005
【図５】
0003743854.tif 000006